(57)【要約】【課題】  ＳＴＣカウンタを用いて、再生バッファからのデータ送出を停止するためにタイムスタンプパケットが必要のない再生装置を提供する。【解決手段】  コンテンツサーバー１２８に記録されているトランスポートストリーム（ＴＳ）を読出す。ＰＣＲ抽出部２４７ｃは、ＴＳからＰＣＲを抽出する。ＳＴＣカウンタ２４７ｄは、ＳＴＣカウント値を生成する。ＡＶデコーダ２４７ｇは、ＴＳに含まれるビデオデータを前記ＳＴＣカウンタ２４７ｄからのカウント値に応じたタイミングで再生する、データ放送処理部２４７ｉは、ＴＳに含まれるデータ放送によるデータを再生する。比較器２４７ｅは、ＰＣＲ抽出部２４７ｃからのＰＣＲの値とＳＴＣカウンタ２４７ｄからのカウント値とを比較し、この差に応じてデータ放送処理部２４７ｉへ供給されるデータ放送によるデータをスイッチ２４７ＳＷ１または２４７ＳＷ５を用いて供給または停止制御する。【選択図】      図３
2007081475.tif 000002
【特許請求の範囲】
【請求項１】
コンテンツサーバーに記録されているビデオデータおよびデータ放送によるデータを含むトランスポートストリームを、前記コンテンツサーバーから読出す読み出し手段と、
前記トランスポートストリームからＰＣＲ（Program Clock Reference）を抽出するＰＣＲ抽出手段と、
前記トランスポートストリームに含まれるビデオデータを再生するタイミングの基準として用いるＳＴＣ（System Time Clock）カウント値を生成するＳＴＣカウンタと、
前記トランスポートストリームに含まれるビデオデータを前記ＳＴＣカウンタからのカウント値に応じたタイミングで再生するビデオ再生手段と、
前記トランスポートストリームに含まれるデータ放送によるデータを再生するデータ放送再生手段と、
前記ＰＣＲ抽出手段からのＰＣＲの値と前記ＳＴＣカウンタからのカウント値とを比較し、この差に応じて前記データ放送再生手段へ供給される前記データ放送によるデータを供給または停止制御する制御手段とを備えたことを特徴とする再生装置。
【請求項２】
前記制御手段は、前記ＳＴＣカウンタの値がＰＣＲの値以上になったときに前記トランスポートストリームを供給し、前記ＳＴＣカウンタの値が前記ＰＣＲ抽出手段により新たに抽出されたＰＣＲの値よりも小さいときには次のパケットから前記トランスポートストリームを供給停止することを特徴とする請求項１記載の再生装置。
【請求項３】
前記コンテンツサーバーからのデータを一時的に蓄積し、一時的に蓄積したデータを前記ＰＣＲ抽出手段へ出力するバッファを備えたことを特徴とする請求項１記載の再生装置。
【請求項４】
コンテンツサーバーに記録されているビデオデータおよびデータ放送によるデータを含むトランスポートストリームを、前記コンテンツサーバーから読出し、
前記トランスポートストリームからＰＣＲ（Program Clock Reference）を抽出し、
前記トランスポートストリームに含まれるビデオデータを再生するタイミングの基準として用いるＳＴＣ（System Time Clock）カウント値を生成し、
前記トランスポートストリームに含まれるビデオデータを前記ＳＴＣカウント値に応じたタイミングで再生し、
前記データ放送再生手段により、前記トランスポートストリームに含まれるデータ放送によるデータを再生し、
前記抽出されたＰＣＲの値と前記ＳＴＣカウント値とを比較し、この差に応じて前記データ放送再生手段へ供給される前記データ放送によるデータを供給または停止制御することを特徴とする再生方法。
【発明の詳細な説明】
【技術分野】
【０００１】
この発明は、コンテンツサーバーが提供するコンテンツを再生する再生装置および再生方法に関する。
【背景技術】
【０００２】
従来、復号器に障害を発生させないために、再生バッファからのデータ送出を停止する再生装置が知られている（例えば、特許文献１参照）。この再生装置では、再生バッファからのデータ送出を停止するためにタイムスタンプパケットが必要という問題があった。
【特許文献１】特開２００２−３４４８９０公報
【発明の開示】
【発明が解決しようとする課題】
【０００３】
従来の再生装置では、再生バッファからのデータ送出を停止するためにタイムスタンプパケットが必要という問題があった。
【課題を解決するための手段】
【０００４】
上記の目的を達成するために、この発明においては、コンテンツサーバーに記録されているビデオデータおよびデータ放送によるデータを含むトランスポートストリームを、前記コンテンツサーバーから読出す読み出し手段と、前記トランスポートストリームからＰＣＲ（Program Clock Reference）を抽出するＰＣＲ抽出手段と、前記トランスポートストリームに含まれるビデオデータを再生するタイミングの基準として用いるＳＴＣ（System Time Clock）カウント値を生成するＳＴＣカウンタと、前記トランスポートストリームに含まれるビデオデータを前記ＳＴＣカウンタからのカウント値に応じたタイミングで再生するビデオ再生手段と、前記トランスポートストリームに含まれるデータ放送によるデータを再生するデータ放送再生手段と、前記ＰＣＲ抽出手段からのＰＣＲの値と前記ＳＴＣカウンタからのカウント値とを比較し、この差に応じて前記データ放送再生手段へ供給される前記データ放送によるデータを供給または停止制御する制御手段とを備えたことを特徴とする再生装置を提供する。
【０００５】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００６】
この発明によればＳＴＣカウンタを用いて、再生バッファからのデータ送出を停止するためにタイムスタンプパケットが必要のない再生装置および方法を提供することができる。
【発明を実施するための最良の形態】
【０００７】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【０００８】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【０００９】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１０】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１１】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１２】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１３】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１４】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバー１２８、ＨＤＤ内蔵のＤＶＤ（Digital Versatile Disk）レコーダ１２９等の機器を接続し、これらの機器と情報伝送を行なうために使用される。
【００１５】
なお、コンテンツサーバー１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１６】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１７】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバー１３３や携帯電話１３４等と情報伝送を行なうために使用される。
【００１８】
なお、コンテンツサーバー１３３についてはコンテンツのサーバー機器として動作するための機能を持ち、さらにコンテンツのアクセスに必要なＵＲＩ情報を提供するサービスを備えたＵＰｎＰ対応機器として構成される。
【００１９】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２０】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２１】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２２】
チューナ２４５ａは、制御部２６１からの制御信号により所望のチャンネルの放送信号を選局し、この選局された放送信号をＰＳＫ（Phase Shift Keying）復調器２４５ｂに出力する。
【００２３】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２４】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２５】
また、ＴＳ復号器２４５ｃは、デジタル放送により送られているセクション情報をセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２６】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２７】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００２８】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２９】
また、ＴＳ復号器２５０ｃは、デジタル放送により送られているセクション情報をセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３０】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３１】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３２】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３３】
また、字幕放送による字幕を表示するとき、グラフィック処理部２５４は、制御部２６１からの制御による字幕情報に基づき、映像信号上に字幕情報を重畳する処理を行う。
【００３４】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３５】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３６】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００３７】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００３８】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００３９】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００４０】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４１】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４２】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４３】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００４４】
ところで、この実施形態では、ＨＤＤ１２５に初期登録時のＨＤＤ１２５、ＨＤＤ１２７、コンテンツサーバー１２８、ＤＶＤレコーダ１２９それぞれに割り当てられたストレージＩＤ（ＩＰアドレス、機器名を含む）を記述した登録ファイルを記憶保持している。
【００４５】
また、不揮発性メモリ２６１ｃに、ＨＤＤ１２５、ＨＤＤ１２７、コンテンツサーバー１２８、ＤＶＤレコーダ１２９それぞれのストレージＩＤを記憶している。
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００４６】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてコンテンツサーバー１２８を発見する。
【００４７】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバー１２８をコントロールし、コンテンツサーバー１２８内のＨＤＤ等に蓄積されているコンテンツをアクセスするために必要なＵＲＩ情報をコンテンツサーバー１２８から取得する。
【００４８】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００４９】
以下、信号処理部２４７内の構成について、図３を用いて詳細に説明する。なお、図２ではデジタル放送受信信号の入力は２系統存在しているが、これらの信号処理に関するブロックについては図３では図示していない。図３では、コンテンツサーバー１２８から再生されたトランスポートストリームの形で入力されるコンテンツを再生するブロックについてのみ記載している。
【００５０】
信号処理部２４７内の構成については、図３（ａ）および図３（ｂ）のいずれの構成でもかまわない。
先に図３（ａ）の構成について説明する。
図３（ａ）において、コンテンツサーバー１２８に記録されているビデオデータおよびデータ放送によるデータを含むトランスポートストリームは、制御部２６１により読出され、バッファ２４７ａへ供給される。
【００５１】
バッファ２４７ａは、制御部２６１を介してコンテンツサーバー１２８から供給されたトランスポートストリームを一時バッファリングし、バッファリングした信号をデマルチプレクサ２４７ｂおよびＰＣＲ抽出部２４７ｃへ出力する。なお、このバッファ２４７ａは必ずしも必要ではない。
【００５２】
デマルチプレクサ２４７ｂは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）をＳＴＤバッファ２４７ｆへ出力する。
【００５３】
また、デマルチプレクサ２４７ｂは、デジタル放送により送られているセクション情報をスイッチ２４７ＳＷ１を介してセクション処理部２４７ｈへ出力する。
ＰＣＲ抽出部２４７ｃは、制御部２６１を介してコンテンツサーバー１２８から供給されたトランスポートストリームからＰＣＲ（Program Clock Raference）を抽出し、比較器２４７ｅへ出力する。
【００５４】
ＳＴＣカウンタ２４７ｄは、ＡＶデコーダ２４７ｇがデコードを行うときに用いるＳＴＣカウンタの値を生成するためのＳＴＣカウンタであり、この生成したＳＴＣカウンタの値を比較器２４７ｅおよびＡＶデコーダ２４７ｇへ出力する。
【００５５】
比較器２４７ｅは、ＰＣＲ抽出部２４７ｃから入力されたＰＣＲの値と、ＳＴＣカウンタ２４７ｄから入力されたＳＴＣカウンタの値とを比較し、この比較結果に基づいてスイッチ２４７ＳＷ１のオン／オフ制御を行う。詳しくは図４乃至図６を用いて後で詳細に説明する。
【００５６】
ＳＴＤバッファ２４７ｆは、デマルチプレクサ２４７ｂから入力されたＰＥＳをバッファリングし、このバッファリングしたＰＥＳをＡＶデコーダ２４７ｇへ出力する。
【００５７】
ＡＶデコーダ２４７ｇは、ＳＴＣカウンタ２４７ｄから入力されたＳＴＣカウンタの値に基づき、ＳＴＤバッファ２４７ｆからビデオおよびオーディオのＰＥＳをデパケットすると共に各々デコードし、このデコードしたビデオデータをグラフィック処理部２５４へ出力し、デコードしたオーディオデータを音声処理部２５５へ出力する。
【００５８】
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００５９】
また、セクション処理部２４７ｈは、セクション情報から抽出したデータ放送のために送られたデータをデータ放送処理部２４７ｉへ出力する。
データ放送処理部２４７ｉは、セクション処理部２４７ｈから入力されたデータ放送のために送られたデータを処理し、この処理した画像をグラフィック処理部２５４へ出力する。
【００６０】
これら信号処理部２４７内の各構成要素は、制御部２６１からの制御信号により制御される。
次に、図３（ｂ）の構成について説明する。
図３（ｂ）において、コンテンツサーバー１２８に記録されているビデオデータおよびデータ放送によるデータを含むトランスポートストリームは、制御部２６１により読出され、バッファ２４７ａへ供給される。
【００６１】
バッファ２４７ａは、制御部２６１を介してコンテンツサーバー１２８から供給されたトランスポートストリームを一時バッファリングし、バッファリングした信号をＰＣＲ抽出部２４７ｃへ出力すると共に、スイッチ２４７ＳＷ５を介してデマルチプレクサ２４７ｂへも出力する。なお、このバッファ２４７ａは必ずしも必要ではない。
【００６２】
デマルチプレクサ２４７ｂは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）をＳＴＤバッファ２４７ｆへ出力する。
【００６３】
また、デマルチプレクサ２４７ｂは、デジタル放送により送られているセクション情報をセクション処理部２４７ｈへ出力する。
ＰＣＲ抽出部２４７ｃは、制御部２６１を介してコンテンツサーバー１２８から供給されたトランスポートストリームからＰＣＲ（Program Clock Raference）を抽出し、比較器２４７ｅへ出力する。
【００６４】
ＳＴＣカウンタ２４７ｄは、ＡＶデコーダ２４７ｇがデコードを行うときに用いるＳＴＣカウンタの値を生成するためのＳＴＣカウンタであり、この生成したＳＴＣカウンタの値を比較器２４７ｅおよびＡＶデコーダ２４７ｇへ出力する。
【００６５】
比較器２４７ｅは、ＰＣＲ抽出部２４７ｃから入力されたＰＣＲの値と、ＳＴＣカウンタ２４７ｄから入力されたＳＴＣカウンタの値とを比較し、この比較結果に基づいてスイッチ２４７ＳＷ５のオン／オフ制御を行う。詳しくは図４乃至図６を用いて後で詳細に説明する。
【００６６】
ＳＴＤバッファ２４７ｆは、デマルチプレクサ２４７ｂから入力されたＰＥＳをバッファリングし、このバッファリングしたＰＥＳをＡＶデコーダ２４７ｇへ出力する。
【００６７】
ＡＶデコーダ２４７ｇは、ＳＴＣカウンタ２４７ｄから入力されたＳＴＣカウンタの値に基づき、ＳＴＤバッファ２４７ｆからビデオおよびオーディオのＰＥＳをデパケットすると共に各々デコードし、このデコードしたビデオデータをグラフィック処理部２５４へ出力し、デコードしたオーディオデータを音声処理部２５５へ出力する。
【００６８】
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００６９】
また、セクション処理部２４７ｈは、セクション情報から抽出したデータ放送のために送られたデータをデータ放送処理部２４７ｉへ出力する。
データ放送処理部２４７ｉは、セクション処理部２４７ｈから入力されたデータ放送のために送られたデータを処理し、この処理した画像をグラフィック処理部２５４へ出力する。
【００７０】
これら信号処理部２４７内の各構成要素は、制御部２６１からの制御信号により制御される。
次に、比較器２４７ｅによるスイッチ２４７ＳＷ１／２４７ＳＷ５のオン／オフ制御について図４乃至６を用いて詳細に説明する。
ここではデジタルテレビジョン放送受信装置１１１が、コンテンツサーバー１２８に記録されているコンテンツを再生するものとして説明する。よって、図３に示したスイッチ２４７ＳＷ２〜２４７ＳＷ４の３つのスイッチは、デマルチプレクサ２４７ｂからの信号を選択している。
【００７１】
なお、コンテンツサーバー１２８に記録されているコンテンツとしては、図４に示すように１番組のビデオ・音声信号およびこれに付随するデータ放送がパケット多重されたトランスポートストリームが記録されているものとする。
【００７２】
図５（ａ）は、この例でのＳＴＣカウンタの値を示す図である。
図５（ｂ）は、図５（ａ）と時間軸を同じくしたときに、スイッチ２４７ＳＷ１からデマルチプレクサ２４７ｂ（図３（ａ）の構成）／スイッチ２４７ＳＷ５からセクション処理部２４７ｈ（図３（ｂ）の構成）へ渡されるパケットデータを示す。
【００７３】
図６は、比較器２４７ｅによるスイッチ２４７ＳＷ１／２４７ＳＷ５のオン／オフ制御の動作を示すフローチャートである。
比較器２４７ｅは、図６のフローチャートに示すように、新たにバッファ２４７ａからＴＳパケットを読み（ステップＳ６０１）、ＰＣＲ値が得られたらＤ＝ＰＣＲ値−ＳＴＣカウンタの値を求め、Ｄ≧０か、或いはＤ＜０かを判断する（ステップＳ６０３）。
【００７４】
比較器２４７ｅは、ＳＴＣカウンタ２４７ｄから入力されたＳＴＣカウンタの値が、ＰＣＲ抽出部２４７ｃから入力された最新のＰＣＲの値以上になると（ステップＳ６０３のＹｅｓ）、ステップＳ６０５にてスイッチ２４７ＳＷ１／２４７ＳＷ５をオンにする。そしてステップＳ６０１からの処理を繰り返し、ステップＳ６０３で新たにＳＴＣカウンタの値よりも大きいＰＣＲの値が得られると（ステップＳ６０３のＮｏ）、このＳＴＣカウンタの値よりも大きいＰＣＲの値が得られている間は、ステップＳ６０４にてスイッチ２４７ＳＷ１／２４７ＳＷ５をオフにする。
【００７５】
この結果、図５（ａ）、（ｂ）の例では、スイッチ２４７ＳＷ１／２４７ＳＷ５のオン／オフの動作を示すと図５（ｃ）に示す通りとなる。
なお、図６のステップＳ６０３では、ＳＴＣカウンタ２４７ｄから入力されたＳＴＣカウンタの値が、ＰＣＲ抽出部２４７ｃから入力された最新のＰＣＲの値以上になると、ステップＳ６０５にてスイッチ２４７ＳＷ１／２４７ＳＷ５をオンにした。しかし、多少前後してデータ放送の画面が表示されてもよいのであれば必ずしもこの通りでなくて良い。例えば、ステップＳ６０３にて、新たにＳＴＣカウンタの値との差がプラスマイナス２秒以内の、あるＰＣＲの値が得られると（ステップＳ６０３のＮｏ）、ステップＳ６０４にてスイッチ２４７ＳＷ１／２４７ＳＷ５をオフにするようにしてもよい。この２秒という値は、データ放送は２秒以内に収まることが好ましいと考えるからである。
【００７６】
以上説明したとおり、本発明によれば、再生バッファからのデータ送出を停止するためにタイムスタンプパケットが必要がない。
また、ＳＴＣカウンタの値とＰＣＲの値とを比較し、この比較結果に応じてデータ放送の処理を行うセクション処理部へのデータの供給を制御しているので、データ放送によるデータの表示がビデオデータよりもずれて、例えば先行することがない。
【００７７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００７８】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】信号処理部２４７の、コンテンツサーバー１２８からのデータを処理する構成を示す図。
【図４】コンテンツサーバー１２８内の記録媒体に記録されているコンテンツデータの構成を示す図。
【図５】スイッチの動作２４７ＳＷ１／２４７ＳＷ５の動作タイミングを示す図。
【図６】比較器２４７ｅによるスイッチ２４７ＳＷ１／２４７ＳＷ５のオン／オフ制御の動作を示すフローチャート。
【符号の説明】
【００７９】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバー、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2007081475.tif 000003
【図２】
2007081475.tif 000004
【図３】
2007081475.tif 000005
【図４】
2007081475.tif 000006
【図５】
2007081475.tif 000007
【図６】
2007081475.tif 000008